(57)【要約】  本発明の実施形態は、受動光ネットワークにおけるマルチプロトコルラベルスイッチング（MPLS）パケットを運ぶ方法と、受信方法と、光ネットワークユニット（ONU）／光ネットワーク終端装置（ONT）／光回線終端装置（OLT）と、通信システムとを提供し、光通信ネットワークに関し、受動光ネットワークがモバイルネットワークと結合される場合のプロトコルスタックの階層が複雑であるという技術的問題を解決するために設計されている。送信方法は、MPLSパケットを取得し、MPLSパケットをギガビット受動光ネットワーク（GPON）カプセル化方法（GEM）フレーム内にカプセル化し、GEMフレームを送信することを含む。受信方法は、ＧＥＭフレームを受信し、GEMフレームをMPLSパケットに脱カプセル化し、MPLSパケットを送信することを含む。本発明の実施形態は受動光ネットワークとモバイルネットワークとの緊密な結合のため使用される。
2012500542.tif 000002
【特許請求の範囲】
【請求項１】
受動光ネットワーク（ＰＯＮ）においてマルチプロトコルラベルスイッチング（ＭＰＬＳ）パケットを運ぶ方法であって、
ＭＰＬＳパケットを取得し、
前記ＭＰＬＳパケットをギガビットＰＯＮ（ＧＰＯＮ）カプセル化モード（ＧＥＭ）フレーム内にカプセル化し、
前記ＧＥＭフレームを送信すること
を含む、方法。
【請求項２】
前記ＭＰＬＳパケットを取得することは、スードワイヤ（ＰＷ）データペイロードを受信し、前記ＰＷデータペイロードを、インナーレイヤラベルを有するＭＰＬＳパケット内にカプセル化することを含む、又は、
前記ＭＰＬＳパケットを取得することは、ＰＷデータペイロードを受信し、前記ＰＷデータペイロードを、インナーレイヤラベルを有するＭＰＬＳパケット内にカプセル化し、前記インナーレイヤラベルを有する前記ＭＰＬＳパケットを、アウターレイヤラベルを有するＭＰＬＳパケット内に更にカプセル化することを含む、
請求項１に記載の、ＰＯＮにおいてＭＰＬＳパケットを運ぶ方法。
【請求項３】
前記ＭＰＬＳパケットを前記ＧＥＭフレーム内にカプセル化することは、
前記ＭＰＬＳパケットをセグメント化又はアセンブルし、セグメント化又はアセンブルされたＭＰＬＳパケットを、前記ＧＥＭフレームのペイロードにマッピングし、
前記ＧＥＭフレームの前記ペイロードの前に、ＧＥＭヘッダを追加すること
を含む、請求項１に記載の、ＰＯＮにおいてＭＰＬＳパケットを運ぶ方法。
【請求項４】
前記ＭＰＬＳパケットをセグメント化し、前記セグメント化されたＭＰＬＳパケットを、前記ＧＥＭフレームの前記ペイロードにマッピングすることは、前記ＭＰＬＳパケットを少なくとも２つのＭＰＬＳパケットセグメントに分割し、前記ＭＰＬＳパケットセグメントを、前記ＧＥＭフレームの前記ペイロードにマッピングすることを含む、又は、
前記ＭＰＬＳパケットをセグメント化し、前記セグメント化されたＭＰＬＳパケットを、前記ＧＥＭフレームの前記ペイロードにマッピングすることは、ＭＰＬＳパケットペイロードとＭＰＬＳヘッダとを抽出し、前記ＭＰＬＳペイロードを少なくとも２つのセグメントに分割し、各セグメントの前にＭＰＬＳヘッダを追加して、新たなセグメントをそれぞれ形成し、前記新たなセグメントを、前記ＧＥＭフレームの前記ペイロードにマッピングすることを含む、
請求項３に記載の、ＰＯＮにおいてＭＰＬＳパケットを運ぶ方法。
【請求項５】
伝送モードが、ＭＰＬＳパケットがＧＥＭフレーム上で運ばれるもの（ＭＰＬＳオーバＧＥＭ）であることを示すように構成された、ポート識別（Ｐｏｒｔ  ＩＤ）フィールド又はサービスタイプフィールドを、前記ＧＥＭヘッダが含む、
請求項３に記載の、ＰＯＮにおいてＭＰＬＳパケットを運ぶ方法。
【請求項６】
前記ＭＰＬＳパケットを取得することは、光ネットワークユニット（ＯＮＵ）又は光ネットワーク終端装置（ＯＮＴ）によって、前記ＭＰＬＳパケットを、顧客宅内ネットワーク（ＣＰＮ）から取得すること、又は、光回線終端装置（ＯＬＴ）によって、前記ＭＰＬＳパケットを、サービスノード機能から取得することを含み、
前記ＧＥＭフレームを送信することは、前記ＯＮＵ／ＯＮＴによって、前記ＧＥＭフレームを、前記ＯＬＴに送信すること、又は、前記ＯＬＴによって、前記ＧＥＭフレームを、前記ＯＮＵ／ＯＮＴに送信することを含む、
請求項１に記載の、ＰＯＮにおいてＭＰＬＳパケットを運ぶ方法。
【請求項７】
受動光ネットワーク（ＰＯＮ）においてマルチプロトコルラベルスイッチング（ＭＰＬＳ）パケットを受信する方法であって、
ギガビットＰＯＮ（ＧＰＯＮ）カプセル化モード（ＧＥＭ）フレームを受信し、
前記ＧＥＭフレームをＭＰＬＳパケットに脱カプセル化し、
前記ＭＰＬＳパケットを送信すること
を含む、方法。
【請求項８】
前記ＧＥＭフレームを前記ＭＰＬＳパケットに脱カプセル化することは、
前記ＧＥＭフレームからＧＥＭフレームペイロードを抽出し、
前記抽出されたＧＥＭフレームペイロードをアセンブル又はセグメント化して、前記ＭＰＬＳパケットを生成すること
を含む、請求項７に記載の、ＰＯＮにおいてＭＰＬＳパケットを受信する方法。
【請求項９】
前記抽出されたＧＥＭフレームペイロードをアセンブルして、前記ＭＰＬＳパケットを生成することは、
少なくとも２つのＧＥＭフレームペイロードを、前記ＭＰＬＳパケットとしてアセンブルすること、又は、
少なくとも２つのＧＥＭフレームペイロードを取得し、第１のＧＥＭフレームペイロード以外のＧＥＭフレームペイロード内のＭＰＬＳヘッダを除去し、前記第１のＧＥＭフレームペイロードと、前記ＭＰＬＳヘッダが除去されたその他のＧＥＭフレームペイロードとを、前記ＭＰＬＳパケットとしてアセンブルすること
を含む、請求項８に記載の、ＰＯＮにおいてＭＰＬＳパケットを受信する方法。
【請求項１０】
マルチプロトコルラベルスイッチング（ＭＰＬＳ）パケットを取得するように構成された、ＭＰＬＳ処理ユニットと、
前記ＭＰＬＳパケットをギガビット受動光ネットワーク（ＧＰＯＮ）カプセル化モード（ＧＥＭ）フレーム内にカプセル化するように構成された、カプセル化処理ユニットと、
前記ＧＥＭフレームを送信するように構成された、送信ユニットと
を備える、ＭＰＬＳカプセル化装置。
【請求項１１】
前記カプセル化処理ユニットは、
前記ＭＰＬＳパケットをセグメント化又はアセンブルし、セグメント化又はアセンブルされたＭＰＬＳパケットを、ＰＯＮカプセル化データフレームのペイロードにマッピングするように構成された、セグメント化／アセンブリユニットと、
前記ＧＥＭフレームの前記ペイロードの前に、ＧＥＭヘッダを追加するように構成された、ヘッダ追加ユニットと
を備える、請求項１０に記載のＭＰＬＳカプセル化装置。
【請求項１２】
ギガビット受動光ネットワーク（ＧＰＯＮ）カプセル化モード（ＧＥＭ）フレームを受信するように構成された、受信ユニットと、
前記ＧＥＭフレームをマルチプロトコルラベルスイッチング（ＭＰＬＳ）パケットに脱カプセル化するように構成された、脱カプセル化処理ユニットと、
前記ＭＰＬＳパケットを送信するように構成された、ＭＰＬＳ送信ユニットと
を備える、ＭＰＬＳ脱カプセル化装置。
【請求項１３】
前記脱カプセル化処理ユニットは、
前記ＧＥＭフレームからＧＥＭフレームペイロードを抽出するように構成された、抽出ユニットと、
前記抽出されたＧＥＭフレームペイロードをセグメント化又はアセンブルして、前記ＭＰＬＳパケットを生成するように構成された、セグメント化／アセンブリユニットと
を備える、請求項１２に記載のＭＰＬＳ脱カプセル化装置。
【請求項１４】
マルチプロトコルラベルスイッチング（ＭＰＬＳ）カプセル化装置と、ＭＰＬＳ脱カプセル化装置とを備える、光通信システムであって、前記ＭＰＬＳカプセル化装置は、
ＭＰＬＳパケットを取得し、
前記ＭＰＬＳパケットをギガビット受動光ネットワーク（ＧＰＯＮ）カプセル化モード（ＧＥＭ）フレーム内にカプセル化し、
前記ＧＥＭフレームを前記ＭＰＬＳ脱カプセル化装置に送信するように構成され、
前記ＭＰＬＳ脱カプセル化装置は、
前記ＭＰＬＳカプセル化装置の前記ＧＥＭフレームを受信し、
前記ＧＥＭフレームをＭＰＬＳパケットに脱カプセル化し、
前記ＭＰＬＳパケットを送信するように構成される、光通信システム。
【発明の詳細な説明】
【技術分野】
【０００１】
本出願は、２００８年８月１９日に出願された、「Ｍｅｔｈｏｄ，Ｄｅｖｉｃｅ，ａｎｄ  Ｓｙｓｔｅｍ  ｆｏｒ  Ｂｅａｒｉｎｇ  Ｍｕｌｔｉ−Ｐｒｏｔｏｃｏｌ  Ｌａｂｅｌ  Ｓｗｉｔｃｈｉｎｇ  Ｐａｃｋｅｔ  ｉｎ  Ｐａｓｓｉｖｅ  Ｏｐｔｉｃａｌ  Ｎｅｔｗｏｒｋ（受動光ネットワークにおいてマルチプロトコルラベルスイッチングパケットを運ぶ方法、装置、及びシステム）」と題された、中国特許出願第２００８１０１４５７６７．８号の優先権を主張するものである。
本発明は、光通信ネットワークに関し、特に、受動光ネットワーク（ＰＯＮ）においてマルチプロトコルラベルスイッチング（ＭＰＬＳ）パケットを運ぶ方法、光ネットワークユニット（ＯＮＵ）／光ネットワーク終端装置（ＯＮＴ）／光回線終端装置（ＯＬＴ）、及びシステムに関する。
【背景技術】
【０００２】
図１に示すように、光アクセスネットワーク（ＯＡＮ）の参照アーキテクチャ全体は、顧客宅内ネットワーク（ＣＰＮ）と、アクセスネットワークと、サービスノード機能とによって形成される。アクセスネットワークにおいて、アダプテーション機能（ＡＦ）は、光ネットワークユニット（ＯＮＵ）／光ネットワーク終端装置（ＯＮＴ）／ＯＮＴインタフェースと、ユーザネットワークインタフェース（ＵＮＩ）との間の相互変換を主に提供する、省略可能な装置である。ＡＦは、ＯＮＵ／ＯＮＴ内に組み込まれてもよい。このようにして、参照点（ａ）は省略されてもよい。ＡＦは、更に、光回線終端装置（ＯＬＴ）の背後に配置されて、ＯＬＴインタフェースとサービスノードインタフェース（ＳＮＩ）との間の相互変換を実行してもよい。ＡＦは、ＣＰＮの機能とみなされるだけでなく、アクセスネットワークの機能とみなされることも可能である。アクセスネットワークの主なネットワーク要素としては、ＯＬＴ、光分配ネットワーク（ＯＤＮ）、ＯＮＵ／ＯＮＴ／ＯＮＴ、及びＡＦが挙げられる。Ｔは、ＵＮＩインタフェースの参照点であり、Ｖは、ＳＮＩインタフェースの参照点である。ＯＬＴは、ＯＤＮにネットワークインタフェースを提供し、１つ以上のＯＤＮに接続される。ＯＤＮは、ＯＬＴ及びＯＮＵ／ＯＮＴに伝送手段を提供する。ＯＮＵ／ＯＮＴは、ＯＡＮにユーザ側インタフェースを提供し、ＯＤＮに接続される。顧客宅内装置（ＣＰＥ）は、ＵＮＩインタフェースを介して（例えば、デジタル加入者ループ（ＤＳＬ）を経由して）、ＡＦに接続される。ＡＦは、パケットフォーマットを、ＵＮＩインタフェースフォーマットから、ＯＮＵ／ＯＮＴに接続されることが可能な（ａ）インタフェース（例えば、イーサネット（登録商標）リンク）のフォーマットに変換する。ＯＮＵ／ＯＮＴは、次に、パケットを、ＯＤＮ上で移送されることが可能なフォーマットに変換する。最後に、ＯＬＴは、パケットを、ＳＮＩインタフェース（例えば、イーサネット（登録商標）リンク）のパケットフォーマットに変換し、次に、サービスノードにアクセスする。
【０００３】
受動光ネットワーク（ＰＯＮ）は、中央制御局内に設置された１つのＯＬＴと、ユーザの宅内において設置された適合するＯＮＵ／ＯＮＴの組とを含む。ＰＯＮは、３つの技術、すなわち、非同期転送モード（ＡＴＭ）ＰＯＮ（ＡＰＯＮ）、イーサネット（登録商標）ＰＯＮ（ＥＰＯＮ）、及びギガビットＰＯＮ（ＧＰＯＮ）を含む。同時に、ＰＯＮは、既存のＥＰＯＮ及びＧＰＯＮ技術から、次世代ＰＯＮネットワークに発展させられた、ｘＰＯＮを更に含む。ＧＰＯＮを例に取ると、ＧＰＯＮプロトコルスタックの構成は図２に示す通りであり、これは、下から上まで３つのレイヤに分割されてもよい。
【０００４】
１つのレイヤは、ＧＰＯＮ物理媒体依存レイヤ（ＧＰＭ）であり、これは、光ファイバ上でのＧＰＯＮ伝送コンバージェンス（ＧＴＣ）フレームの伝送に関与し、光ファイバ上を流れる光信号を、データ処理のために、ＰＯＮ媒体アクセス制御（ＭＡＣ）レイヤに移送し、また、ＰＯＮ  ＭＡＣレイヤから移送されたデータ信号を、光信号に変換する。
【０００５】
もう１つのレイヤは、ＭＡＣレイヤである。ＧＰＯＮの場合、ＭＡＣレイヤはＧＴＣレイヤであり、これは、２つのサブレイヤに分割されてもよい。
【０００６】
（ａ）伝送コンバージェンス（ＴＣ）アダプタサブレイヤ
ＴＣアダプタサブレイヤにおいては、ＧＰＯＮカプセル化モード（ＧＥＭ）クライアントから受信されたサービスが、ＧＥＭデータブロックに切断され、また、ＧＴＣフレーム内のＧＥＭデータブロックが、対応するサービスデータにアセンブルされる。
【０００７】
（ｂ）ＧＴＣフレーミングサブレイヤ
ＧＴＣ  ＴＣフレームのフレーミング処理は、ＧＴＣフレーミングサブレイヤにおいて実行される。具体的には、物理レイヤ運用、管理、及び保守（ＰＬＯＡＭ）の制御情報に従って、ＧＥＭデータブロックの前にＧＴＣ  ＴＣヘッダが追加されて、完全なＧＴＣ  ＴＣフレームが形成され、ＧＴＣ  ＴＣフレームはＧＰＭに送信される。ＧＴＣフレーミングサブレイヤにおいては、更に、ＧＰＭから受信されたＧＴＣ  ＴＣフレームのヘッダ情報が除去される必要があり、そして、ＧＴＣ  ＴＣフレームは、処理のためにＴＣアダプタサブレイヤに送出される。
【０００８】
ＧＰＯＮのＧＴＣレイヤによって提供される、サービスデータのカプセル化モードは、ＧＥＭカプセル化モードであり、これは、可変長カプセル化モードであり、サービスデータの長さに応じた、ＧＥＭカプセル化フレームの長さの変更をサポートする。現在のところ、ＧＥＭカプセル化モードは、イーサネット（登録商標）パケットのカプセル化を主としてサポートする。
【０００９】
ＧＰＯＮは、更にレイヤを有する。ＧＥＭクライアントに加えて、このレイヤは、（１）ＰＯＮ物理レイヤの運用、管理、及び保守機能に関与する、ＰＬＯＡＭと、（２）ＯＮＵ／ＯＮＴ管理及び制御インタフェース（ＯＮＵ／ＯＮＴ  ｍａｎａｇｅｍｅｎｔ  ａｎｄ  ｃｏｎｔｒｏｌ  ｉｎｔｅｒｆａｃｅ）（ＯＭＣＩ）とを更に含み、ここで、ＯＭＣＩのデータは、伝送のためにＧＥＭデータブロック内にカプセル化されることが可能であるという点で、共通サービスデータと同じである。
【００１０】
マルチプロトコルラベルスイッチング（ＭＰＬＳ）は、インターネットプロトコル（ＩＰ）ルーティング技術の柔軟性と、レイヤ２スイッチングの単純さとをシームレスに統合し、その結果、ＩＰ転送効率が向上する。更に重要なことには、ＭＰＬＳは、コネクション型（ｃｏｎｎｅｃｔｉｏｎ−ｏｒｉｅｎｔｅｄ）のラベルスイッチングパスを確立して、エンドツーエンドのサービス品質（ＱｏＳ）を柔軟に提供し、更に、トラフィックエンジニアリングを実行し、仮想プライベートネットワーク（ＶＰＮ）サービスを提供し、それにより、管理しやすい、操作可能なネットワークがオペレータに提供される。
【００１１】
シム（ｓｈｉｍ）として、ＭＰＬＳは、レイヤ３  ＩＰデータパケットに適用されてもよく、ＭＰＬＳラベルがＩＰパケットの前に追加され、ラベルスイッチングパスが確立され、次に、Ｌ２レイヤヘッダが移送のために追加される。Ｌ２ヘッダは、ポイントツーポイントプロトコル（ＰＰＰ）ヘッダ、又はイーサネット（登録商標）ヘッダであってもよい。
【００１２】
ＭＰＬＳは、レイヤ２データネットワークに適用されてもよい。イーサネット（登録商標）、ＡＴＭ、又はフレームリレー（ＦＲ）などの、レイヤ２データが、エミュレート及びカプセル化されて、仮想チャネル（ＶＣ）又はスードワイヤ（ＰＷ）が確立され、その中でレイヤ２データが移送される。ＭＰＬＳベースのレイヤ２又はレイヤ３ＶＰＮ（Ｌ２又はＬ３  ＶＰＮ）の構成では、異なるＶＣ／ＰＷを識別するために、ＭＰＬＳインナーレイヤラベルが使用され（すなわち、レイヤ２トンネル）、パブリックトンネルとしてアウターレイヤラベルが使用される。サービスオペレータネットワーク内の装置は、いかなるレイヤ２情報も維持する必要はなく、ＭＰＬＳラベル情報に従って、パブリックネットワークトンネル上のＭＰＬＳ転送を実行するのみである。
【発明の概要】
【発明が解決しようとする課題】
【００１３】
従来技術では、通常、パケット交換ネットワーク（ＰＳＮ）が、ＰＯＮの後のメトロポリタンエリアアグリゲーションネットワークとして使用される。ＰＯＮが基地局バックホール技術として使用される場合、基地局に続くネットワーク内でのエンドツーエンド接続能力を形成し、それにより無線音声サービスをサポートするために、ＭＰＬＳは、ＯＮＵ／ＯＮＴ又は基地局に至るまで移動可能であることが必要とされる。しかし、従来技術では、必要とされる目的は以下のように達成される。最初に、イーサネット（登録商標）がＭＰＬＳを運んで、ＭＰＬＳからイーサネット（登録商標）までのＱｏＳマッピングを実行し、次に、ＰＯＮがイーサネット（登録商標）を運んで、イーサネット（登録商標）からＰＯＮまでの２次ＱｏＳマッピングを実行し、結果として、多くのプロトコルスタックレイヤと、低い運搬効率と、かなりの複雑さと、高い実装コストとがもたらされる。加えて、基地局のバックホールによって、ＰＯＮの帯域幅に対して高い要求が課され、一方、ＰＯＮは、媒体を共有するアクセス技術であり、ネットワークの帯域幅のボトルネックであり、かつ、多くのプロトコルスタックに起因してパケットヘッダのオーバヘッドが大きく、ＰＯＮの帯域幅ボトルネックの問題が発生する。
【課題を解決するための手段】
【００１４】
本発明は、受動光ネットワーク（ＰＯＮ）が基地局バックホールのために使用される場合の、プロトコルスタックレイヤを単純化し、プロトコルスタックレイヤのオーバヘッドを減少させ、運搬効率を向上させるための、ＰＯＮにおいてマルチプロトコルラベルスイッチング（ＭＰＬＳ）パケットを運ぶ方法、ＰＯＮにおいてＭＰＬＳパケットを受信する方法、ＭＰＬＳカプセル化装置、ＭＰＬＳ脱カプセル化装置、及び通信システムに関する。
【００１５】
上記の目的を達成するために、本発明の実施形態は、以下の技術的解決法を採用する。
【００１６】
一実施形態では、本発明は、ＰＯＮにおいてＭＰＬＳパケットを運ぶ方法を提供し、この方法は、以下のステップを含む。
ＭＰＬＳパケットが取得される。
ＭＰＬＳパケットは、ギガビットＰＯＮ（ＧＰＯＮ）カプセル化モード（ＧＥＭ）フレーム内にカプセル化される。
ＧＥＭフレームが送信される。
【００１７】
一実施形態では、本発明は、ＰＯＮにおいてＭＰＬＳパケットを受信する方法を提供し、この方法は、以下のステップを含む。
ＧＥＭフレームが受信される。
ＧＥＭフレームは、ＭＰＬＳパケットに脱カプセル化される。
ＭＰＬＳパケットが送信される。
【００１８】
一実施形態では、本発明は、ＭＰＬＳ処理ユニットと、カプセル化処理ユニットと、送信ユニットとを含む、ＭＰＬＳカプセル化装置を提供する。
ＭＰＬＳ処理ユニットは、ＭＰＬＳパケットを取得するように構成される。
カプセル化処理ユニットは、ＭＰＬＳパケットをＧＥＭフレーム内にカプセル化するように構成される。
送信ユニットは、ＧＥＭフレームを送信するように構成される。
【００１９】
一実施形態では、本発明は、受信ユニットと、脱カプセル化処理ユニットと、ＭＰＬＳ送信ユニットとを含む、ＭＰＬＳ脱カプセル化装置を提供する。
受信ユニットは、ＧＥＭフレームを受信するように構成される。
脱カプセル化処理ユニットは、ＧＥＭフレームをＭＰＬＳパケットに脱カプセル化するように構成される。
ＭＰＬＳ送信ユニットは、ＭＰＬＳパケットを送信するように構成される。
【００２０】
一実施形態では、本発明は、ＭＰＬＳカプセル化装置と、ＭＰＬＳ脱カプセル化装置とを含む、光通信システムを提供する。ＭＰＬＳカプセル化装置は、
ＭＰＬＳパケットを取得し、
ＭＰＬＳパケットをＧＥＭフレーム内にカプセル化し、
ＧＥＭフレームを送信するように構成される。
【００２１】
ＭＰＬＳ脱カプセル化装置は、
ＧＥＭフレームを受信し、
ＧＥＭフレームをＭＰＬＳパケットに脱カプセル化し、
ＭＰＬＳパケットを送信するように構成される。
【発明の効果】
【００２２】
本発明の実施形態による技術的解決法では、光回線終端装置（ＯＬＴ）が、受信されたＭＰＬＳパケットをＧＥＭフレーム内にカプセル化し、ＧＥＭフレームを光ネットワークユニット（ＯＮＵ）／光ネットワーク終端装置（ＯＮＴ）に送信し、ＯＮＵ／ＯＮＴが、ＯＬＴから受信されたＧＥＭフレームをＭＰＬＳパケットに脱カプセル化し、ＭＰＬＳパケットを送信する。又は、ＯＮＵ／ＯＮＴが、受信されたＭＰＬＳパケットをＧＥＭフレーム内にカプセル化し、ＧＥＭフレームをＯＬＴに送信し、ＯＬＴが、ＯＮＵ／ＯＮＴから受信されたＧＥＭフレームをＭＰＬＳパケットに脱カプセル化し、ＭＰＬＳパケットを送信する。従って、ＰＯＮとモバイルネットワークとの間の密接な結合が実現される。ＭＰＬＳオーバＧＥＭ伝送モードが採用されるため、ＰＯＮが基地局バックホールのために使用される場合のプロトコルスタックレイヤが単純化され、プロトコルスタックレイヤのオーバヘッドが効果的に減少させられ、運搬効率が向上し、基地局バックホールにおけるＰＯＮの帯域幅ボトルネックの問題が解決される。
【図面の簡単な説明】
【００２３】
【図１】従来技術におけるＯＡＮのアーキテクチャ図である。
【図２】従来技術におけるＧＰＯＮプロトコルレイヤリングの概略図である。
【図３】本発明の第１の実施形態による、ＰＯＮにおいてＭＰＬＳパケットを運ぶ方法のフローチャートである。
【図４】本発明の第２の実施形態による、ＰＯＮにおいてＭＰＬＳパケットを運ぶ方法における、ＭＰＬＳパケットをＧＥＭフレーム内にカプセル化するプロセスのフローチャートである。
【図５】図４における、ＧＥＭフレーム内へのＭＰＬＳパケットのカプセル化の概略図である。
【図６】図４において、ＭＰＬＳパケットを、セグメント化又はアセンブリの後で、ＧＥＭフレームのペイロードにマッピングする、第１の方法の概略図である。
【図７】図４において、ＭＰＬＳパケットを、セグメント化又はアセンブリの後で、ＧＥＭフレームのペイロードにマッピングする、第２の方法の概略図である。
【図８】図４において、ＭＰＬＳパケットを、セグメント化又はアセンブリの後で、ＧＥＭフレームのペイロードにマッピングする、第３の方法の概略図である。
【図９】本発明の第１の実施形態による、ＰＯＮにおいてＭＰＬＳパケットを受信する方法のフローチャートである。
【図１０】本発明の第２の実施形態による、ＰＯＮにおいてＭＰＬＳパケットを受信する方法における、ＧＰＯＮにおいて運ばれるＭＰＬＳパケットのＧＥＭ脱カプセル化のプロセスのフローチャートである。
【図１１】本発明の第１の実施形態による、ＯＮＵ／ＯＮＴ／ＯＬＴの構成図である。
【図１２】本発明の第２の実施形態による、ＯＮＵ／ＯＮＴ／ＯＬＴの構成図である。
【図１３】本発明の第１の実施形態による、ＯＮＵ／ＯＮＴ／ＯＬＴの構成図である。
【図１４】本発明の第２の実施形態による、ＯＮＵ／ＯＮＴ／ＯＬＴの構成図である。
【図１５】本発明の実施形態による光通信システムの構成図である。
【図１６】本発明の実施形態による光通信システムの第１の適用シナリオのネットワーク構成図である。
【図１７】本発明の実施形態による光通信システムの第２の適用シナリオのネットワーク構成図である。
【図１８】本発明の実施形態による光通信システムの第３の適用シナリオのネットワーク構成図である。
【発明を実施するための形態】
【００２４】
本発明の実施形態による、受動光ネットワーク（ＰＯＮ）においてマルチプロトコルラベルスイッチング（ＭＰＬＳ）パケットを運ぶ方法、光ネットワークユニット（ＯＮＵ）／光ネットワーク終端装置（ＯＮＴ）／光回線終端装置（ＯＬＴ）、及びシステムについて、添付の図面を参照して以下に詳細に説明する。
【００２５】
一実施形態では、本発明は、ＰＯＮにおいてＭＰＬＳパケットを運ぶ方法を提供する。
【００２６】
本発明の実施形態は、ＯＮＵ／ＯＮＴが顧客宅内ネットワーク（ＣＰＮ）からＭＰＬＳパケットを取得する、第１のシナリオ、又は、ＯＬＴがサービスノード機能からＭＰＬＳパケットを取得する、第２のシナリオにおいて適用されてもよい。本発明の実施形態では、第２のシナリオ（すなわち、ＯＬＴがサービスノード機能からＭＰＬＳパケットを取得する）が、説明のための例として取り上げられる。
【００２７】
図３に示すように、本発明の一実施形態は、ＰＯＮにおいてＭＰＬＳパケットを運ぶ方法を提供する。
【００２８】
本発明の実施形態における、ＰＯＮにおいてＭＰＬＳパケットを運ぶ方法は、以下のステップを含む。
【００２９】
ステップＳ１０１で、ＯＬＴは、サービスノード機能からＭＰＬＳパケットを取得する。
【００３０】
必要に応じて、ＭＰＬＳパケットを取得するステップは、スードワイヤ（ＰＷ）データペイロードを受信し、ＰＷデータペイロードを、インナーレイヤラベルを有するＭＰＬＳパケット内にカプセル化することを含んでもよい。
【００３１】
インナーレイヤラベルを有するＭＰＬＳパケットは、更に、アウターレイヤラベルを有するＭＰＬＳパケット内にカプセル化されてもよい。ＭＰＬＳインナーレイヤラベルは、様々な仮想チャネル（ＶＣ）／ＰＷ（すなわち、レイヤ２トンネル）を識別し、アウターレイヤラベルは、パブリックトンネルとして使用される。
【００３２】
又は、ＭＰＬＳパケットは、直接取得されてもよい。
【００３３】
ステップＳ１０２で、ＯＬＴは、ＭＰＬＳパケットを、ギガビットＰＯＮ（ＧＰＯＮ）カプセル化モード（ＧＥＭ）フレーム内にカプセル化する。
【００３４】
ステップＳ１０３で、ＯＬＴは、ＧＥＭフレームをＯＮＵ／ＯＮＴに送信する。
【００３５】
図５は、ＧＥＭフレーム内へのＭＰＬＳパケットのカプセル化の概略図である。
【００３６】
図４に示すように、ＭＰＬＳパケットをＧＥＭフレーム内にカプセル化するプロセスは、マッピング及びフレーミングという２つのステップを含んでもよい。
【００３７】
ステップＡ１１で、ＭＰＬＳパケットはセグメント化又はアセンブルされ、各セグメント又はアセンブリが、ＧＥＭフレームのペイロード部分にマッピングされる。
【００３８】
ステップＡ１２で、ＧＥＭフレームのヘッダが、各ＧＥＭフレームのペイロードの前に追加されて、ＧＥＭフレームが形成される。
【００３９】
ＭＰＬＳパケットをセグメント化又はアセンブルし、各セグメント又はアセンブリを、ＧＥＭフレームのペイロード部分にマッピングする、ステップＡ１１は、以下の方法を採用してもよいがこれに限定されない。
【００４０】
第１の方法では、図６に示すように、ＭＰＬＳパケットが少なくとも２つのＭＰＬＳパケットセグメントに分割され、少なくとも２つのＭＰＬＳパケットセグメントは、異なるＧＥＭフレームのペイロードにそれぞれマッピングされる。すなわち、ＭＰＬＳパケットのペイロードが複数のセグメントに分割され、各セグメントのＭＰＬＳパケットは、ＧＥＭフレームのペイロード部分にそれぞれマッピングされ、セグメント１のみがＭＰＬＳパケットヘッダを有する。
【００４１】
又は、第２の方法では、図７に示すように、ＭＰＬＳパケットペイロードとＭＰＬＳヘッダとが抽出され、ＭＰＬＳペイロードは少なくとも２つのセグメントに分割され、ＭＰＬＳヘッダが各セグメントの前に追加されて、新たなセグメントがそれぞれ形成され、新たなセグメントは、異なるＧＥＭフレームのペイロードにそれぞれマッピングされる。すなわち、ＭＰＬＳパケットのペイロードが複数のセグメントに分割され、各セグメントのＭＰＬＳパケットは、ＧＥＭフレームのペイロード部分にそれぞれマッピングされ、ＭＰＬＳパケットヘッダが、各セグメントについて複製される。
【００４２】
又は、第３の方法では、図８に示すように、少なくとも１つのＭＰＬＳパケットがアセンブルされ、アセンブルされたＭＰＬＳパケットは、同じＧＥＭフレームのペイロードにマッピングされる。すなわち、複数のＭＰＬＳパケットが、それぞれのＭＰＬＳパケットヘッダが保有されて、単にアセンブルされ、アセンブルされたＭＰＬＳパケットは、ＧＥＭフレームのペイロード部分にマッピングされる。
【００４３】
ＧＥＭフレームのヘッダが、各ＧＥＭフレームのペイロードの前に追加されて、ＧＥＭフレームが形成される、ステップＡ１２において、特定の範囲内のＧＥＭポート識別（ＩＤ）フィールドが、ＭＰＬＳオーバＧＥＭモードが採用されたことを表すために使用されてもよい。すなわち、ＭＰＬＳパケットがセグメント化又はアセンブルされた後、それぞれのセグメント化又はアセンブルされたＭＰＬＳパケットが、ＧＥＭフレームのペイロード部分にマッピングされ、次に、５バイトのＧＥＭヘッダが追加されて、ＧＥＭフレームが形成される。ＧＥＭヘッダは、５バイトを有し、４つの部分、すなわち、ペイロード長表示（ＰＬＩ、１２ビットのサイズを有する）、ポートＩＤ（１２ビットのサイズを有する）、ペイロードタイプ表示（ＰＴＩ、３ビットの長さを有する）、及びヘッダエラー制御（ＨＥＣ、１３ビットの長さを有する）を含む。
【００４４】
ＰＴＩの最下位ビットによれば、ＰＴＩの最下位ビットは、セグメントがＭＰＬＳパケットの最後のセグメントであるかどうかを示すために利用されてもよい。本発明の実施形態では、ＰＴＩが「０００」である場合、ＰＴＩは、セグメントが最後のセグメントではないことを表し、ＰＴＩが「００１」である場合、ＰＴＩは、セグメントが最後のセグメントであることを表す。
【００４５】
本発明の実施形態における、ＰＯＮにおいてＭＰＬＳパケットを運ぶ方法では、本発明の実施形態が第１のシナリオにおいて適用される場合、ＯＮＵ／ＯＮＴがＣＰＮからＭＰＬＳパケットを取得し、ＯＮＵ／ＯＮＴはＭＰＬＳパケットをＧＥＭフレーム内にカプセル化し、ＯＮＵ／ＯＮＴはＧＥＭフレームをＯＬＴに送信し、本発明の実施形態が第２のシナリオにおいて適用される場合、ＯＬＴがサービスノード機能からＭＰＬＳパケットを取得し、ＯＬＴはＭＰＬＳパケットをＧＥＭフレーム内にカプセル化し、ＯＬＴはＧＥＭフレームをＯＮＵ／ＯＮＴに送信する。従って、ＰＯＮとモバイルネットワークとの間の密接な結合が実現される。ＭＰＬＳオーバＧＥＭ伝送モードが採用されるため、プロトコルスタックレイヤのオーバヘッドが効果的に減少させられ、運搬効率が向上する。
【００４６】
本発明の実施形態による、ＰＯＮにおいてＭＰＬＳパケットを運ぶ方法に対応して、本発明は、ＰＯＮにおいてＭＰＬＳパケットを受信する方法を更に提供する。本発明の実施形態は、ＯＬＴがＯＮＵ／ＯＮＴからＧＥＭフレームを受信する、第１のシナリオ、又はＯＮＵ／ＯＮＴがＯＬＴからＧＥＭフレームを受信する、第２のシナリオにおいて適用されてもよい。以下では、第２のシナリオが説明のための例として取り上げられる。
【００４７】
図９に示すように、本発明の実施形態による、ＰＯＮにおいてＭＰＬＳパケットを受信する方法は、以下のステップを含む。
【００４８】
ステップＳ２０１で、ＯＮＵ／ＯＮＴが、ＯＬＴからＧＥＭフレームを受信する。
【００４９】
ステップＳ２０２で、ＯＮＵ／ＯＮＴは、ＧＥＭフレームをＭＰＬＳパケットに脱カプセル化する。
【００５０】
ＧＥＭヘッダは、ポートＩＤフィールドを含む。ＧＥＭポートＩＤフィールドに従って、伝送モードとしてＭＰＬＳオーバＧＥＭが適合されているかどうかが判定される。必要に応じて、ＧＥＭヘッダは、サービスタイプフィールドを含む。サービスタイプフィールドに従って、伝送モードとしてＭＰＬＳオーバＧＥＭが採用されているかがどうかが判定される。
【００５１】
ＧＥＭヘッダは、ＰＴＩフィールドを含む。ＰＴＩの最下位ビットを使用することによって、ＧＥＭフレームがＭＰＬＳパケットの最後のセグメントを含むかどうかが判定される。
【００５２】
図５、６、７、及び８における、ＧＥＭフレーム内へのＭＰＬＳパケットのカプセル化に対応する、ＧＰＯＮにおいて運ばれるＭＰＬＳパケットのＧＥＭ脱カプセル化のプロセスは、図１０に示す通りであり、これは、図４における、ＭＰＬＳパケットをＧＥＭフレーム内にカプセル化するプロセスの逆のプロセスであり、以下のステップを含む。
【００５３】
ステップｂ１で、ＭＰＬＳオーバＧＥＭモードが採用されているかどうかが、特定のＧＥＭポートＩＤフィールド、又はサービスタイプフィールドに従って判定されてもよく、ＭＰＬＳオーバＧＥＭモードが採用されていると判定された場合、ＭＰＬＳオーバＧＥＭモードにおいて、ＧＥＭフレームのペイロード部分内にロードされたＭＰＬＳパケットが抽出される、すなわち、ＧＥＭフレームペイロードがＧＥＭフレームから抽出される。
【００５４】
ステップｂ２で、ＧＥＭフレームのＰＴＩに従って、ＧＥＭフレームから抽出されたＭＰＬＳパケットが再アセンブルされる、すなわち、抽出されたＧＥＭフレームペイロードがアセンブル又はセグメント化されて、ＭＰＬＳパケットが生成される。
【００５５】
抽出されたＧＥＭフレームペイロードをアセンブル又はセグメント化して、ＭＰＬＳパケットを生成するステップは、、以下の方法を採用してもよいがこれに限定されない。
【００５６】
第１の方法では、少なくとも２つのＧＥＭフレームペイロードが取得され、ＭＰＬＳパケットとしてアセンブルされる。このプロセスは、図６における、ＭＰＬＳパケットをセグメント化又はアセンブルし、各セグメント又はアセンブリをＧＥＭフレームのペイロード部分にマッピングすることの、逆のプロセスである。
【００５７】
又は、第２の方法では、少なくとも２つのＧＥＭフレームペイロードが取得され、第１のＧＥＭフレームペイロード以外のＧＥＭフレームペイロード内のＭＰＬＳヘッダが除去され、第１のＧＥＭフレームペイロードと、ＭＰＬＳヘッダが除去されたその他のＧＥＭフレームペイロードとが、ＭＰＬＳパケットとしてアセンブルされる。このプロセスは、図７における、ＭＰＬＳパケットをセグメント化又はアセンブルし、各セグメント又はアセンブリをＧＥＭフレームのペイロード部分にマッピングすることの、逆のプロセスである。
【００５８】
又は、第３の方法では、ＧＥＭフレームペイロードが取得され、ＧＥＭフレームペイロードは、少なくとも１つのＭＰＬＳに分割される。このプロセスは、図８における、ＭＰＬＳパケットをセグメント化又はアセンブルし、各セグメント又はアセンブリをＧＥＭフレームのペイロード部分にマッピングすることの、逆のプロセスである。
【００５９】
ステップＳ２０３で、ＯＮＵ／ＯＮＴは、ＭＰＬＳパケットをＣＰＮに送信する。
【００６０】
本発明の実施形態は、２つのシナリオにおいて適用されてもよい。実施形態が第１のシナリオにおいて適用される場合、ＯＬＴがＭＰＬＳパケットをサービスノード機能に送信するステップの前に、方法は、ＯＬＴが複数のＰＯＮインタフェースを有し、異なるＰＯＮインタフェースに属するＯＮＵ／ＯＮＴと、少なくとも２つの光分配ネットワーク（ＯＤＮ）を介して通信する場合に、ＭＰＬＳパケットをアセンブルすることを更に含む。ＯＬＴがＭＰＬＳパケットをサービスノード機能に送信するステップは、次の通りである。ＯＬＴは、アセンブルされたＭＰＬＳパケットを、サービスノード機能に送信する。
【００６１】
本発明の実施形態が第１のシナリオにおいて適用される場合、ＯＬＴは、ＯＮＵ／ＯＮＴからＧＥＭフレームを受信し、ＯＬＴは、ＧＥＭフレームをＭＰＬＳパケット内にカプセル化し、ＯＬＴは、ＭＰＬＳパケットをサービスノード機能に送信する。実施形態が第２のシナリオにおいて適用される場合、ＯＮＵ／ＯＮＴは、ＯＬＴからＧＥＭフレームを受信し、ＯＮＵ／ＯＮＴは、ＧＥＭフレームをＭＰＬＳパケット内にカプセル化し、ＯＮＵ／ＯＮＴは、ＭＰＬＳパケットをＣＰＮに送信する。従って、ＰＯＮとモバイルネットワークとの間の密接な結合が実現される。ＭＰＬＳオーバＧＥＭ伝送モードが採用されるため、プロトコルスタックレイヤのオーバヘッドが効果的に減少させられ、運搬効率が向上する。
【００６２】
当業者は、本発明の実施形態による方法のステップの全て又は一部が、関連するハードウェアに指示するプログラムによって実施されてもよいということを理解するであろう。プログラムは、コンピュータ読み取り可能な記憶媒体内に記憶されてもよい。プログラムが実行される場合、本発明の実施形態による方法のステップが実行される。記憶媒体は、磁気ディスク、コンパクトディスク読み取り専用メモリ（ＣＤ−ＲＯＭ）、読み取り専用メモリ（ＲＯＭ）、又はランダムアクセスメモリ（ＲＡＭ）であってもよい。
【００６３】
一実施形態において、本発明は、ＭＰＬＳカプセル化装置を更に提供する。
【００６４】
ＰＯＮにおいてＭＰＬＳパケットを運ぶ方法は、２つの適用シナリオを有する。１つのシナリオでは、ＯＮＵ／ＯＮＴがＣＰＮからＭＰＬＳパケットを取得する。この適用シナリオでは、ＭＰＬＳカプセル化装置は、ＯＮＵ／ＯＮＴ内に配置される。もう１つのシナリオでは、ＯＬＴがサービスノード機能からＭＰＬＳパケットを取得する。この適用シナリオでは、ＭＰＬＳカプセル化装置は、ＯＬＴ内に配置される。
【００６５】
図１１に示すように、ＭＰＬＳカプセル化装置は、ＭＰＬＳ処理ユニット１１１と、カプセル化処理ユニット１１２’と、送信ユニット１１４’とを含む。
【００６６】
ＭＰＬＳ処理ユニット１１１は、ＭＰＬＳパケットを取得するように構成される。
【００６７】
カプセル化処理ユニット１１２’は、ＭＰＬＳパケットをＧＥＭフレーム内にカプセル化するように構成される。
【００６８】
送信ユニット１１４’は、ＧＥＭフレームを送信するように構成される。
【００６９】
カプセル化処理ユニット１１２’は、カプセル化処理ユニット１１２と、フレーミング処理ユニット１１３とを更に含む。
【００７０】
カプセル化処理ユニット１１２は、ＭＰＬＳパケットをＧＥＭフレーム内にカプセル化するように構成される。
【００７１】
フレーミング処理ユニット１１３は、ＧＥＭフレームに対して、ＧＰＯＮ伝送コンバージェンス（ＧＴＣ）レイヤのフレーミング処理を実行して、ＧＴＣ伝送コンバージェンス（ＴＣ）フレームを生成するように構成される。
【００７２】
送信ユニット１１４’は、ＧＴＣ  ＴＣフレームに対して物理レイヤ処理を実行し、処理されたＧＴＣ  ＴＣフレームを送信するように構成された、ＯＤＮインタフェースユニット１１４を更に含む。
【００７３】
図１２に示すように、カプセル化処理ユニット１１２は、セグメント化／アセンブリユニット１１２１と、ヘッダ追加ユニット１１２２とを含む。
【００７４】
セグメント化／アセンブリユニット１１２１は、ＭＰＬＳパケットをセグメント化又はアセンブルし、セグメント化又はアセンブルされたＭＰＬＳパケットを、ＧＥＭフレームのペイロードにマッピングするように構成される。
【００７５】
ヘッダ追加ユニット１１２２は、ＧＥＭフレームのペイロードの前に、ＧＥＭヘッダを追加するように構成される。
【００７６】
セグメント化／アセンブリユニット１１２１は、具体的には、
ＭＰＬＳパケットペイロード及びＭＰＬＳヘッダを抽出し、ＭＰＬＳパケットを少なくとも２つのＭＰＬＳパケットセグメントに分割し、少なくとも２つのＭＰＬＳパケットセグメントを、異なるＧＥＭフレームのペイロードにそれぞれマッピングする、又は、
ＭＰＬＳパケットペイロード及びＭＰＬＳヘッダを抽出し、ＭＰＬＳペイロードを少なくとも２つのセグメントに分割し、各セグメントの前にＭＰＬＳヘッダを追加して、新たなセグメントをそれぞれ形成し、新たなセグメントを、異なるＧＥＭフレームのペイロードにそれぞれマッピングする、又は、
少なくとも１つのＭＰＬＳパケットをアセンブルし、アセンブルされたＭＰＬＳパケットを、同じＧＥＭフレームのペイロードにマッピングするように構成される。
【００７７】
ヘッダ追加ユニットは、各ＧＥＭフレームのペイロードの前に、ＧＥＭフレームのヘッダを追加して、ＧＥＭフレームを形成する。特定の範囲内のＧＥＭポートＩＤフィールドが、ＭＰＬＳオーバＧＥＭモードが採用されたことを表すために使用されてもよい。セグメントがＭＰＬＳパケットの最後のセグメントであるかどうかに従って、ＰＴＩの最下位ビットが設定される。
【００７８】
本発明の実施形態におけるＯＮＵ／ＯＮＴ／ＯＬＴでは、ＭＰＬＳ処理ユニットが、ＭＰＬＳパケットを取得し、カプセル化処理ユニットが、ＭＰＬＳパケットをＧＥＭフレーム内にカプセル化し、フレーミング処理ユニットが、ＧＥＭフレームに対してＧＴＣフレーミング処理を実行して、ＧＴＣ  ＴＣフレームを生成し、ＯＤＮインタフェースユニットが、ＧＴＣ  ＴＣフレームに対して物理レイヤ処理を実行し、処理されたＧＴＣ  ＴＣフレームを送信する。ＭＰＬＳオーバＧＥＭ伝送モードが採用されるため、プロトコルスタックレイヤのオーバヘッドが効果的に減少させられ、運搬効率が向上する。本発明の実施形態では、ＭＰＬＳオーバＧＥＭ伝送モードが採用され、これにより、プロトコルスタックレイヤのオーバヘッドが効果的に減少させられ、運搬効率が向上する。
【００７９】
図１３に示すように、一実施形態において、本発明は、ＭＰＬＳ脱カプセル化装置を提供する。
【００８０】
ＰＯＮにおいてＭＰＬＳパケットを運ぶ方法は、２つの適用シナリオを有する。１つのシナリオでは、ＯＮＵ／ＯＮＴがＣＰＮからＭＰＬＳパケットを取得する。この適用シナリオでは、ＭＰＬＳ脱カプセル化装置は、ＯＬＴ内に配置される。もう１つのシナリオでは、ＯＬＴがサービスノード機能からＭＰＬＳパケットを取得する。この適用シナリオでは、ＭＰＬＳ脱カプセル化装置は、ＯＮＵ／ＯＮＴ内に配置される。
【００８１】
ＭＰＬＳ脱カプセル化装置は、受信ユニット２１１’と、脱カプセル化処理ユニット２１３’と、ＭＰＬＳ送信ユニット２１４とを含む。
【００８２】
受信ユニット２１１’は、ＧＥＭフレームを受信するように構成される。
【００８３】
脱カプセル化処理ユニット２１３’は、ＧＥＭフレームをＭＰＬＳパケットに脱カプセル化するように構成される。
【００８４】
ＭＰＬＳ送信ユニット２１４は、ＭＰＬＳパケットを送信するように構成される。
【００８５】
受信ユニット２１１’は、ＯＤＮインタフェースユニット２１１を更に含む。
【００８６】
ＯＤＮインタフェースユニット２１１は、パケットを受信し、受信されたパケットに対して物理レイヤ処理を実行して、ＧＴＣ  ＴＣフレームを生成するように構成される。
【００８７】
脱カプセル化処理ユニット２１３’は、フレーミング処理ユニット２１２と、カプセル化処理ユニット２１３と、ＭＰＬＳ処理ユニット２１４とを更に含む。
【００８８】
フレーミング処理ユニット２１２は、ＧＴＣ  ＴＣに対してＧＴＣデフレーミング処理を実行して、ＧＥＭフレームを生成するように構成される。
【００８９】
カプセル化処理ユニット２１３は、ＧＥＭフレームをＭＰＬＳパケットに脱カプセル化するように構成される。
【００９０】
ＭＰＬＳ処理ユニット２１４は、ＭＰＬＳパケットを送信するように構成される。
【００９１】
図１４に示すように、カプセル化処理ユニット２１３は、抽出ユニット２１３１と、セグメント化／アセンブリユニット２１３２とを含む。
【００９２】
抽出ユニット２１３１は、ＧＥＭフレームからＧＥＭフレームペイロードを抽出するように構成される。
【００９３】
セグメント化／アセンブリユニット２１３２は、抽出されたＧＥＭフレームペイロードをセグメント化又はアセンブルして、ＭＰＬＳパケットを生成するように構成される。
【００９４】
セグメント化／アセンブリユニット２１３２は、具体的には、
少なくとも２つのＧＥＭフレームペイロードを取得し、少なくとも２つのＧＥＭフレームペイロードをＭＰＬＳパケットとしてアセンブルする、又は、
少なくとも２つのＧＥＭフレームペイロードを取得し、第１のＧＥＭフレームペイロード以外のＧＥＭフレームペイロード内のＭＰＬＳヘッダを除去し、第１のＧＥＭフレームペイロードと、ＭＰＬＳヘッダが除去されたその他のＧＥＭフレームペイロードとをアセンブルする、又は、
ＧＥＭフレームからＧＥＭフレームペイロードを抽出して、少なくとも１つのＭＰＬＳパケットを直接取得するように構成される。
【００９５】
本発明の実施形態による、ＰＯＮにおいてＭＰＬＳパケットを運ぶＯＮＵ／ＯＮＴ／ＯＬＴでは、ＯＤＮインタフェースユニットが、パケットを受信し、受信されたパケットに対して物理レイヤ処理を実行して、ＧＴＣ  ＴＣフレームを生成し、フレーミング処理ユニットが、ＧＴＣ  ＴＣに対してＧＴＣデフレーミング処理を実行して、ＧＥＭフレームを生成し、カプセル化処理ユニットが、ＧＥＭフレームをＭＰＬＳパケットに脱カプセル化し、ＭＰＬＳ処理ユニットが、ＭＰＬＳパケットを送信する。ＭＰＬＳオーバＧＥＭ伝送モードが採用されるため、プロトコルスタックレイヤのオーバヘッドが効果的に減少させられ、運搬効率が向上する。
【００９６】
図１５に示すように、一実施形態において、本発明は、ＯＮＵ／ＯＮＴと、ＯＬＴと、ＯＤＮとを含む、光通信システムを提供する。ＯＮＵ／ＯＮＴは、ＯＤＮを経由してＯＬＴに接続される。
【００９７】
ＯＮＵ／ＯＮＴは、受信されたＭＰＬＳパケットをＧＥＭフレーム内にカプセル化し、ＧＥＭフレームに対してＧＴＣフレーミング処理を実行して、ＧＴＣ  ＴＣフレームを生成し、ＧＴＣ  ＴＣフレームに対して物理レイヤ処理を実行し、処理されたＧＴＣ  ＴＣフレームをＯＬＴに送信するように構成される。
【００９８】
ＯＬＴは、ＯＮＵ／ＯＮＴから受信されたパケットに対して物理レイヤ処理を実行して、ＧＴＣ  ＴＣフレームを生成し、ＧＴＣ  ＴＣに対してＧＴＣデフレーミング処理を実行して、ＧＥＭフレームを生成し、ＧＥＭフレームをＭＰＬＳパケットに脱カプセル化し、ＭＰＬＳパケットを送信するように構成される。
【００９９】
また、ＯＬＴは、受信されたＭＰＬＳパケットをＧＥＭフレーム内にカプセル化し、ＧＥＭフレームに対してＧＴＣフレーミング処理を実行して、ＧＴＣ  ＴＣフレームを生成し、ＧＴＣ  ＴＣフレームに対して物理レイヤ処理を実行し、処理されたＧＴＣ  ＴＣフレームをＯＮＵ／ＯＮＴに送信するように更に構成される。
【０１００】
ＯＮＵ／ＯＮＴは、受信されたパケットに対して物理レイヤ処理を実行して、ＧＴＣ  ＴＣフレームを生成し、ＧＴＣ  ＴＣに対してＧＴＣデフレーミング処理を実行して、ＧＥＭフレームを生成し、ＧＥＭヘッダのポートＩＤに従って、伝送モードがＭＰＬＳオーバＧＥＭであるかどうかを判定し、伝送モードがＭＰＬＳオーバＧＥＭである場合、ＧＥＭフレームをＭＰＬＳパケットに脱カプセル化し、ＭＰＬＳパケットを送信するように更に構成される。
【０１０１】
ＯＮＵ／ＯＮＴ及びＯＬＴは、それぞれが、ＭＰＬＳ処理ユニットと、ＰＯＮ処理ユニットとを含む。
【０１０２】
ＭＰＬＳ処理ユニットは、ラベルスイッチルータ（ＬＳＲ）又はラベルエッジルータ（ＬＥＲ）機能を実現するように構成される。
【０１０３】
ＰＯＮ処理ユニットは、ＧＰＯＮプロトコルスタックを実現することに関与し、ＰＯＮ  ＴＣレイヤ処理ユニットと、ＯＤＮインタフェースユニットとによって形成される。ＰＯＮ  ＴＣ処理ユニットは、ＧＰＯＮプロトコルスタック内のＧＴＣ機能を実現し、ＭＰＬＳパケットに対するＧＥＭカプセル化又は脱カプセル化を達成する。ＯＤＮインタフェースユニットは、ＧＰＯＮプロトコルスタック内のＧＰＯＮ物理媒体（ＧＰＭ）依存レイヤ機能を実現する。
【０１０４】
必要に応じて、ＯＬＴのＰＯＮ処理ユニットは、ＯＬＴが複数のＰＯＮインタフェースを有し、異なるＰＯＮインタフェースに属するＯＮＵ／ＯＮＴと、少なくとも２つのＯＤＮを介して通信する場合に、複数のＭＰＬＳを１つのＭＰＬＳにアセンブルするように構成された、又は、１つのＭＰＬＳを複数のＭＰＬＳにセグメント化するように構成された、ＭＵＸ処理ユニットを更に含む。
【０１０５】
ＯＬＴがＯＮＵ／ＯＮＴと通信する場合の、特定のシナリオにおける、各部の特定の機能について以下に説明する。
【０１０６】
ＭＰＬＳ処理ユニットは、ＭＰＬＳパケットを取得するように構成される。
【０１０７】
ＰＯＮ  ＴＣユニットは、受信されたＭＰＬＳパケットをＧＥＭフレーム内にカプセル化し、ＧＥＭフレームに対してＧＴＣフレーミング処理を実行して、ＧＴＣ  ＴＣフレームを生成し、ＧＴＣ  ＴＣフレームに対して物理レイヤ処理を実行し、処理されたＧＴＣ  ＴＣフレームを送信するように構成される。
【０１０８】
また、ＰＯＮユニットは、パケットを受信し、受信されたパケットに対して物理レイヤ処理を実行して、ＧＴＣ  ＴＣフレームを生成し、ＧＴＣ  ＴＣに対してＧＴＣデフレーミング処理を実行して、ＧＥＭフレームを生成し、ＧＥＭフレームをＭＰＬＳパケットに脱カプセル化するように更に構成される。
【０１０９】
ＭＰＬＳ処理ユニットは、ＭＰＬＳパケットを送信するように更に構成される。
【０１１０】
ＰＯＮ処理ユニットは、ＰＯＮ  ＴＣレイヤ処理ユニットと、ＯＤＮインタフェースユニットとを含む。
【０１１１】
ＰＯＮ  ＴＣレイヤ処理ユニットは、受信されたＭＰＬＳパケットをＧＥＭフレーム内にカプセル化し、ＧＥＭフレームに対してＧＴＣフレーミング処理を実行して、ＧＴＣ  ＴＣフレームを生成するように構成される。
【０１１２】
ＯＤＮインタフェースユニットは、ＧＴＣ  ＴＣフレームに対して物理レイヤ処理を実行し、処理されたＧＴＣ  ＴＣフレームを送信するように構成される。
【０１１３】
また、ＯＤＮインタフェースユニットは、パケットを受信し、受信されたパケットに対して物理レイヤ処理を実行して、ＧＴＣ  ＴＣフレームを生成するように更に構成される。
【０１１４】
ＰＯＮ  ＴＣレイヤ処理ユニットは、ＧＴＣ  ＴＣに対してＧＴＣデフレーミング処理を実行して、ＧＥＭフレームを生成し、ＧＥＭフレームをＭＰＬＳパケットに脱カプセル化するように更に構成される。
【０１１５】
本発明の実施形態における光通信システムでは、ＰＯＮとモバイルネットワークとの間の密接な結合が実現される。ＭＰＬＳオーバＧＥＭ伝送モードが採用されるため、プロトコルスタックレイヤのオーバヘッドが効果的に減少させられ、運搬効率が向上する。
【０１１６】
図１５における、ＯＮＵ／ＯＮＴ／ＯＬＴの機能ブロック図に示すように、ＯＬＴは、複数のＯＮＵ／ＯＮＴに、１つのＰＯＮインタフェースを介して、同じＯＤＮを経由して同時に接続される。又は、ＯＬＴは、複数のＰＯＮインタフェースを有してもよく、そして、異なるＰＯＮインタフェースに属するＯＮＵ／ＯＮＴに、少なくとも２つのＯＤＮを経由して接続されてもよい。
【０１１７】
図１７は、ＰＷカプセル化構成を有するデータを受信する場合の、ＰＯＮにおいてＭＰＬＳパケットを運ぶ通信システムの接続図である。このシステムでは、ＰＷデータペイロードは、インナーレイヤラベルを有するＭＰＬＳパケット内に、又は、エミュレーション回路識別子とＰＷ制御ワードとを有するＰＷパケット内にカプセル化される。図１６は、ＰＷカプセル化構成を有するデータを受信する場合の、ＰＯＮにおいてＭＰＬＳパケットを運ぶ通信システムの接続図である。図１７と異なり、このシステムでは、インナーレイヤラベルを有するＭＰＬＳパケットが、アウターレイヤラベルを有するＭＰＬＳパケット内に更にカプセル化される。図１８は、インターネットプロトコル（ＩＰ）パケットデータを受信する場合の、ＰＯＮにおいてＭＰＬＳパケットを運ぶ通信システムの接続図である。
【０１１８】
光通信システムのフローチャートについて、以下に大まかに説明する。基地局（ＢＳ）からの、（図１６又は１７に示すような）時分割多重（ＴＤＭ）フレーム、又は（図１８に示すような）イーサネット（登録商標）フレームに対して、ＯＮＵ／ＯＮＴは、ＴＤＭフレームのデータをＭＰＬＳベースのＰＷ内にカプセル化することによって、又は、イーサネット（登録商標）ヘッダを除去することによって、ＭＰＬＳパケットを取得し、次に、ＭＰＬＳパケットに対して、ＧＥＭカプセル化フレーム処理、ＧＴＣフレーミング処理、及びＰＯＮ物理レイヤ処理を実行し、最後に、処理されたＭＰＬＳパケットを、ＯＤＮを介して、ＯＬＴに転送する。ＯＬＴは、ＯＮＵ／ＯＮＴからのパケットに対して、対応するＰＯＮ物理レイヤ処理、ＧＴＣデフレーミング処理、及びＧＥＭ脱カプセル化フレーム処理を実行して、ＭＰＬＳパケットを取得し、ＭＰＬＳをスイッチングし、ネットワーク側インタフェースを介して、ＭＰＬＳパケットを外に移送し、逆もまた同様である。
【０１１９】
本発明の実施形態では、ＧＰＯＮ、又はＧＰＯＮ技術から発展した次世代ＰＯＮネットワークなどの、様々なＰＯＮと、モバイルネットワークとの間の密接な結合が実現されることが可能であり、基地局バックホールのためにＰＯＮが使用される場合の、プロトコルスタックレイヤが単純化されることが可能であり、プロトコルスタックレイヤのオーバヘッドが効果的に減少させられることが可能であり、運搬効率が向上させられることが可能であり、基地局バックホールにおけるＰＯＮについての、帯域幅ボトルネックの問題が解決されることが可能である。具体的には、リアルタイム音声伝送を確実にするために、ネットワークを介して伝送される符号化された音声データは、ショートパケットフォーマットでネットワーク上を伝送される。リクエストフォーコメント、ＲＦＣ５０８６及びＲＦＣ４４５３は、それぞれ、ＭＰＬＳ上での構造化（ｓｔｒｕｃｔｕｒｅｄ）及び非構造化（ｕｎｓｔｒｕｃｔｕｒｅｄ）ＴＤＭの伝送を定義している。ＲＦＣ４４５３における、パケット上の構造不可知ＴＤＭ（ｓｔｒｕｃｔｕｒｅ−ａｇｎｏｓｔｉｃ  ＴＤＭ  ｏｖｅｒ  ｐａｃｋｅｔ）（ＳＡＴｏＰ）を例に取ると、Ｔ１信号が運ばれる場合、各パケットのペイロードは、１９３ビットのＴＤＭデータ＋７ビットのパディング、すなわち、２５バイトであり、これにより、伝送効率は、ペイロード長／（イーサネット（登録商標）ヘッダ長＋ＭＰＬＳラベルスタック長＋ＳＡＴｏＰ制御ワード長＋ペイロード長）＝２４／（２６＋４＊２＋４＋２５）＝２４／６３＝３８％となる。わかるように、主要なオーバヘッドはイーサネット（登録商標）ヘッダにある。本発明の実施形態で提供されるＭＰＬＳオーバＧＥＭモードにおいて運ばれるイーサネット（登録商標）プロトコルを除去することによって、伝送効率は、ペイロード長／（ＭＰＬＳラベルスタック長＋ＳＡＴｏＰ制御ワード長＋ペイロード長）＝２４／（４＊２＋４＋２５）＝２４／３７＝６５％となり、従って伝送効率は２倍近くになる。
【０１２０】
上記の説明は、本発明のいくつかの例示的実施形態にすぎず、本発明の範囲を限定することを意図するものではない。本発明の精神及び原理から逸脱することなく行われるいかなる修正、均等な置換、又は改良も、本発明の範囲内に入る。従って、本発明の保護範囲は、添付の特許請求の範囲によって規定される通りでなければならない。
【図１】
2012500542.tif 000003
【図２】
2012500542.tif 000004
【図３】
2012500542.tif 000005
【図４】
2012500542.tif 000006
【図５】
2012500542.tif 000007
【図６】
2012500542.tif 000008
【図７】
2012500542.tif 000009
【図８】
2012500542.tif 000010
【図９】
2012500542.tif 000011
【図１０】
2012500542.tif 000012
【図１１】
2012500542.tif 000013
【図１２】
2012500542.tif 000014
【図１３】
2012500542.tif 000015
2012500542.tif 000016
【図１４】
2012500542.tif 000017
【図１５】
2012500542.tif 000018
【図１６】
2012500542.tif 000019
【図１７】
2012500542.tif 000020
【図１８】
2012500542.tif 000021
【手続補正書】
【提出日】平成23年2月16日(2011.2.16)
【手続補正１】
【補正対象書類名】明細書
【補正対象項目名】０００１
【補正方法】変更
【補正の内容】
【０００１】
本発明は、光通信ネットワークに関し、特に、受動光ネットワーク（ＰＯＮ）においてマルチプロトコルラベルスイッチング（ＭＰＬＳ）パケットを運ぶ方法、光ネットワークユニット（ＯＮＵ）／光ネットワーク終端装置（ＯＮＴ）／光回線終端装置（ＯＬＴ）、及びシステムに関する。
【手続補正２】
【補正対象書類名】明細書
【補正対象項目名】０００２
【補正方法】変更
【補正の内容】
【０００２】
図１に示すように、光アクセスネットワーク（ＯＡＮ）の参照アーキテクチャ全体は、顧客宅内ネットワーク（ＣＰＮ）と、アクセスネットワークと、サービスノード機能とによって形成される。アクセスネットワークにおいて、アダプテーション機能（ＡＦ）は、光ネットワークユニット（ＯＮＵ）／光ネットワーク終端装置（ＯＮＴ）インタフェースと、ユーザネットワークインタフェース（ＵＮＩ）との間の相互変換を主に提供する、省略可能な装置である。ＡＦは、ＯＮＵ／ＯＮＴ内に組み込まれてもよい。このようにして、参照点（ａ）は省略されてもよい。ＡＦは、更に、光回線終端装置（ＯＬＴ）の背後に配置されて、ＯＬＴインタフェースとサービスノードインタフェース（ＳＮＩ）との間の相互変換を実行してもよい。ＡＦは、ＣＰＮの機能とみなされるだけでなく、アクセスネットワークの機能とみなされることも可能である。アクセスネットワークの主なネットワーク要素としては、ＯＬＴ、光分配ネットワーク（ＯＤＮ）、ＯＮＵ／ＯＮＴ、及びＡＦが挙げられる。Ｔは、ＵＮＩインタフェースの参照点であり、Ｖは、ＳＮＩインタフェースの参照点である。ＯＬＴは、ＯＤＮにネットワークインタフェースを提供し、１つ以上のＯＤＮに接続される。ＯＤＮは、ＯＬＴ及びＯＮＵ／ＯＮＴに伝送手段を提供する。ＯＮＵ／ＯＮＴは、ＯＡＮにユーザ側インタフェースを提供し、ＯＤＮに接続される。顧客宅内装置（ＣＰＥ）は、ＵＮＩインタフェースを介して（例えば、デジタル加入者ループ（ＤＳＬ）を経由して）、ＡＦに接続される。ＡＦは、パケットフォーマットを、ＵＮＩインタフェースフォーマットから、ＯＮＵ／ＯＮＴに接続されることが可能な（ａ）インタフェース（例えば、イーサネット（登録商標）リンク）のフォーマットに変換する。ＯＮＵ／ＯＮＴは、次に、パケットを、ＯＤＮ上で移送されることが可能なフォーマットに変換する。最後に、ＯＬＴは、パケットを、ＳＮＩインタフェース（例えば、イーサネット（登録商標）リンク）のパケットフォーマットに変換し、次に、サービスノードにアクセスする。
【手続補正３】
【補正対象書類名】明細書
【補正対象項目名】０１２０
【補正方法】変更
【補正の内容】
【０１２０】
上記の説明は、本発明のいくつかの例示的実施形態にすぎず、本発明の範囲を限定することを意図するものではない。本発明の原理から逸脱することなく行われるいかなる修正、均等な置換、又は改良も、本発明の範囲内に入る。従って、本発明の保護範囲は、添付の特許請求の範囲によって規定される通りでなければならない。
【手続補正４】
【補正対象書類名】特許請求の範囲
【補正対象項目名】全文
【補正方法】変更
【補正の内容】
【特許請求の範囲】
【請求項１】
受動光ネットワーク（ＰＯＮ）においてマルチプロトコルラベルスイッチング（ＭＰＬＳ）パケットを運ぶ方法であって、
ＭＰＬＳパケットを取得し、
前記ＭＰＬＳパケットをギガビットＰＯＮ（ＧＰＯＮ）カプセル化モード（ＧＥＭ）フレーム内にカプセル化し、
前記ＧＥＭフレームを送信すること
を含む、方法。
【請求項２】
前記ＭＰＬＳパケットを取得することは、スードワイヤ（ＰＷ）データペイロードを受信し、前記ＰＷデータペイロードを、インナーレイヤラベルを有するＭＰＬＳパケット内にカプセル化することを含む、又は、
前記ＭＰＬＳパケットを取得することは、ＰＷデータペイロードを受信し、前記ＰＷデータペイロードを、インナーレイヤラベルを有するＭＰＬＳパケット内にカプセル化し、前記インナーレイヤラベルを有する前記ＭＰＬＳパケットを、アウターレイヤラベルを有するＭＰＬＳパケット内に更にカプセル化することを含む、
請求項１に記載の、ＰＯＮにおいてＭＰＬＳパケットを運ぶ方法。
【請求項３】
前記ＭＰＬＳパケットを前記ＧＥＭフレーム内にカプセル化することは、
前記ＭＰＬＳパケットをセグメント化又はアセンブルし、セグメント化又はアセンブルされたＭＰＬＳパケットを、前記ＧＥＭフレームのペイロードにマッピングし、
前記ＧＥＭフレームの前記ペイロードの前に、ＧＥＭヘッダを追加すること
を含む、請求項１に記載の、ＰＯＮにおいてＭＰＬＳパケットを運ぶ方法。
【請求項４】
前記ＭＰＬＳパケットをセグメント化し、前記セグメント化されたＭＰＬＳパケットを、前記ＧＥＭフレームの前記ペイロードにマッピングすることは、前記ＭＰＬＳパケットを少なくとも２つのＭＰＬＳパケットセグメントに分割し、前記ＭＰＬＳパケットセグメントを、前記ＧＥＭフレームの前記ペイロードにマッピングすることを含む、又は、
前記ＭＰＬＳパケットをセグメント化し、前記セグメント化されたＭＰＬＳパケットを、前記ＧＥＭフレームの前記ペイロードにマッピングすることは、ＭＰＬＳパケットペイロードとＭＰＬＳヘッダとを抽出し、前記ＭＰＬＳペイロードを少なくとも２つのセグメントに分割し、各セグメントの前にＭＰＬＳヘッダを追加して、新たなセグメントをそれぞれ形成し、前記新たなセグメントを、前記ＧＥＭフレームの前記ペイロードにマッピングすることを含む、
請求項３に記載の、ＰＯＮにおいてＭＰＬＳパケットを運ぶ方法。
【請求項５】
伝送モードが、ＭＰＬＳパケットがＧＥＭフレーム上で運ばれるもの（ＭＰＬＳオーバＧＥＭ）であることを示すように構成された、ポート識別（Ｐｏｒｔ  ＩＤ）フィールド又はサービスタイプフィールドを、前記ＧＥＭヘッダが含む、
請求項３に記載の、ＰＯＮにおいてＭＰＬＳパケットを運ぶ方法。
【請求項６】
前記ＭＰＬＳパケットを取得することは、光ネットワークユニット（ＯＮＵ）又は光ネットワーク終端装置（ＯＮＴ）によって、前記ＭＰＬＳパケットを、顧客宅内ネットワーク（ＣＰＮ）から取得すること、又は、光回線終端装置（ＯＬＴ）によって、前記ＭＰＬＳパケットを、サービスノード機能から取得することを含み、
前記ＧＥＭフレームを送信することは、前記ＯＮＵ／ＯＮＴによって、前記ＧＥＭフレームを、前記ＯＬＴに送信すること、又は、前記ＯＬＴによって、前記ＧＥＭフレームを、前記ＯＮＵ／ＯＮＴに送信することを含む、
請求項１に記載の、ＰＯＮにおいてＭＰＬＳパケットを運ぶ方法。
【請求項７】
受動光ネットワーク（ＰＯＮ）においてマルチプロトコルラベルスイッチング（ＭＰＬＳ）パケットを受信する方法であって、
ギガビットＰＯＮ（ＧＰＯＮ）カプセル化モード（ＧＥＭ）フレームを受信し、
前記ＧＥＭフレームをＭＰＬＳパケットに脱カプセル化し、
前記ＭＰＬＳパケットを送信すること
を含む、方法。
【請求項８】
前記ＧＥＭフレームを前記ＭＰＬＳパケットに脱カプセル化することは、
前記ＧＥＭフレームからＧＥＭフレームペイロードを抽出し、
前記抽出されたＧＥＭフレームペイロードをアセンブル又はセグメント化して、前記ＭＰＬＳパケットを生成すること
を含む、請求項７に記載の、ＰＯＮにおいてＭＰＬＳパケットを受信する方法。
【請求項９】
前記抽出されたＧＥＭフレームペイロードをアセンブルして、前記ＭＰＬＳパケットを生成することは、
少なくとも２つのＧＥＭフレームペイロードを、前記ＭＰＬＳパケットとしてアセンブルすること、又は、
少なくとも２つのＧＥＭフレームペイロードを取得し、第１のＧＥＭフレームペイロード以外のＧＥＭフレームペイロード内のＭＰＬＳヘッダを除去し、前記第１のＧＥＭフレームペイロードと、前記ＭＰＬＳヘッダが除去されたその他のＧＥＭフレームペイロードとを、前記ＭＰＬＳパケットとしてアセンブルすること
を含む、請求項８に記載の、ＰＯＮにおいてＭＰＬＳパケットを受信する方法。
【請求項１０】
マルチプロトコルラベルスイッチング（ＭＰＬＳ）パケットを取得するように構成された、ＭＰＬＳ処理ユニットと、
前記ＭＰＬＳパケットをギガビット受動光ネットワーク（ＧＰＯＮ）カプセル化モード（ＧＥＭ）フレーム内にカプセル化するように構成された、カプセル化処理ユニットと、
前記ＧＥＭフレームを送信するように構成された、送信ユニットと
を備える、ＭＰＬＳカプセル化装置。
【請求項１１】
前記カプセル化処理ユニットは、
前記ＭＰＬＳパケットをセグメント化又はアセンブルし、セグメント化又はアセンブルされたＭＰＬＳパケットを、ＰＯＮカプセル化データフレームのペイロードにマッピングするように構成された、セグメント化／アセンブリユニットと、
前記ＧＥＭフレームの前記ペイロードの前に、ＧＥＭヘッダを追加するように構成された、ヘッダ追加ユニットと
を備える、請求項１０に記載のＭＰＬＳカプセル化装置。
【請求項１２】
ギガビット受動光ネットワーク（ＧＰＯＮ）カプセル化モード（ＧＥＭ）フレームを受信するように構成された、受信ユニットと、
前記ＧＥＭフレームをマルチプロトコルラベルスイッチング（ＭＰＬＳ）パケットに脱カプセル化するように構成された、脱カプセル化処理ユニットと、
前記ＭＰＬＳパケットを送信するように構成された、ＭＰＬＳ送信ユニットと
を備える、ＭＰＬＳ脱カプセル化装置。
【請求項１３】
前記脱カプセル化処理ユニットは、
前記ＧＥＭフレームからＧＥＭフレームペイロードを抽出するように構成された、抽出ユニットと、
前記抽出されたＧＥＭフレームペイロードをセグメント化又はアセンブルして、前記ＭＰＬＳパケットを生成するように構成された、セグメント化／アセンブリユニットと
を備える、請求項１２に記載のＭＰＬＳ脱カプセル化装置。
【請求項１４】
請求項１０に記載のマルチプロトコルラベルスイッチング（ＭＰＬＳ）カプセル化装置と、請求項１２に記載のＭＰＬＳ脱カプセル化装置とを備える、光通信システムであって、前記ＭＰＬＳカプセル化装置は、
ＭＰＬＳパケットを取得し、
前記ＭＰＬＳパケットをギガビット受動光ネットワーク（ＧＰＯＮ）カプセル化モード（ＧＥＭ）フレーム内にカプセル化し、
前記ＧＥＭフレームを前記ＭＰＬＳ脱カプセル化装置に送信するように構成され、
前記ＭＰＬＳ脱カプセル化装置は、
前記ＭＰＬＳカプセル化装置の前記ＧＥＭフレームを受信し、
前記ＧＥＭフレームをＭＰＬＳパケットに脱カプセル化し、
前記ＭＰＬＳパケットを送信するように構成される、光通信システム。
【国際調査報告】
2012500542.tif 000022
2012500542.tif 000023
2012500542.tif 000024
2012500542.tif 000025